(57)【要約】【課題】選択画像を選びなおす作業を簡便にした画像処理装置、画像処理方法、画像処理プログラム、プリント注文受付装置を提供する。【解決手段】表示部１１は、仕上がり表示領域１９を有し、仕上がり表示領域１９には、仕上がり画像２２が表示される。仕上がり画像２２には、予め決められた複数のパターンの中の一のパターンにより選択された選択画像が配置される。切替ボタン２５で切替操作を行うと、第１のパターンにより選択された選択画像２１を配置した第１の仕上がり画像２２ａ、第２のパターンにより選択された選択画像５８を配置した第２の仕上がり画像５５ａ、第３のパターンにより選択された選択画像５９を配置した第３の仕上がり画像５６ａを、仕上がり表示領域１９内でスクロール表示する。【選択図】図４
2016014995.tif 000002
【特許請求の範囲】
【請求項１】
入力された複数の画像を配置する一覧表示領域と、前記一覧表示領域の隣りに並べられた仕上がり表示領域とを表示する表示部であり、前記仕上がり表示領域内には、前記一覧表示領域から選択された複数の選択画像が配置された仕上がり画像を表示する表示部と、
前記選択画像を選択する複数のパターン、又は前記選択画像が配置されるテンプレートを表す複数のパターンの中から一のパターンを選択するパターン選択部と、
前記パターンにより前記選択画像が配置された前記仕上がり画像を作成する仕上がり画像作成部と、
前記パターン選択部により前記複数のパターンのうちの一のパターンに選択が切り替えられた場合に、少なくとも前記一のパターンを含む複数のパターンに基づいて前記選択画像を表示した複数の前記仕上がり画像を、前記仕上がり表示領域内でスクロール可能に表示する遷移画像を作成する遷移画像作成部と、
前記一のパターンに選択が切り替えられた場合に、前記遷移画像を表示してから、選択された前記一のパターンに基づいた前記仕上がり画像を前記仕上がり表示領域に表示する表示制御部と、
を備えることを特徴とする画像処理装置。
【請求項２】
前記遷移画像作成部は、前記パターン選択部により第１のパターンから第２のパターンに選択が切り替えられた場合に、少なくとも前記第２のパターンを含む３通りのパターンに基づき第１から第３の前記仕上がり画像をスクロール可能に表示する遷移画像を作るとともに、
前記遷移画像は、前記スクロールの方向に向けて前記仕上がり画像が第１、第２、第３の順でスクロール表示され、その後に、前記選択された前記仕上がり画像が前記仕上がり表示領域の中央に表示される、ことを特徴とする請求項１に記載の画像処理装置。
【請求項３】
前記遷移画像作成部は、前記仕上がり画像作成部が作成する前記仕上がり画像よりも前記遷移画像に含まれる仕上がり画像を縮小して表示する、ことを特徴とする請求項１又は２に記載の画像処理装置。
【請求項４】
前記スクロールの方向は、前記表示部の短辺方向となっている、ことを特徴とする請求項１から３のいずれか一項に記載の画像処理装置。
【請求項５】
前記仕上がり画像は、複数の選択画像が複数行×複数列に二次元に配置されている、ことを特徴とする請求項１から４のいずれか一項に記載の画像処理装置。
【請求項６】
前記パターンが前記選択画像を選択する画像選択パターンを表す場合、予め決められた複数の条件に基づいて前記画像選択パターンを複数作る画像選択部を備える、ことを特徴とする請求項１から５のいずれか一項に記載の画像処理装置。
【請求項７】
前記画像選択パターンは、入力される前記画像に含まれる情報に関連する条件に基づいて前記選択画像を選択するパターンを含む、ことを特徴とする請求項６記載の画像処理装置。
【請求項８】
前記画像選択パターンは、入力される複数の前記画像をランダムに選択するパターンを含む、ことを特徴とする請求項６記載の画像処理装置。
【請求項９】
前記表示部は、タッチセンサを有し、
前記パターン選択部は、前記仕上がり表示領域内に表示されるタッチ操作用の切替ボタンとなっている、ことを特徴とする請求項１から８のいずれか一項に記載の画像処理装置。
【請求項１０】
前記表示部は、タッチセンサを有し、
前記パターン選択部は、ジェスチャー操作を検出するジェスチャー検出部を有する、ことを特徴とする請求項１から８のいずれか一項に記載の画像処理装置。
【請求項１１】
請求項１から１０のいずれか一項に記載の画像処理装置と、
前記仕上がり表示領域内に表示された前記仕上がり画像のプリントを注文する注文部と、
を備えることを特徴とするプリント注文受付装置。
【請求項１２】
入力された複数の画像を配置する一覧表示領域と、前記一覧表示領域の隣りに並べられた仕上がり表示領域とを表示するステップであり、前記仕上がり表示領域内には、前記一覧表示領域から選択された複数の選択画像が配置された仕上がり画像を表示するステップと、
前記選択画像を選択する複数のパターン、又は前記選択画像が配置されるテンプレートを表す複数のパターンの中から一のパターンを選択するステップと、
前記パターンにより前記選択画像が配置された前記仕上がり画像を作成するステップと、
前記複数のパターンのうちの一のパターンに選択が切り替えられた場合に、少なくとも前記一のパターンを含む複数のパターンに基づいて前記選択画像を表示した複数の前記仕上がり画像を、前記仕上がり表示領域内でスクロール可能に表示する遷移画像を作成するステップと、
前記一のパターンに選択が切り替えられた場合に、前記遷移画像を表示してから、選択された前記一のパターンに基づいた前記仕上がり画像を前記仕上がり表示領域に表示するステップと、
を含むことを特徴とする画像処理方法。
【請求項１３】
入力された複数の画像を配置する一覧表示領域と、前記一覧表示領域の隣りに並べられた仕上がり表示領域とを表示するステップであり、前記仕上がり表示領域内には、前記一覧表示領域から選択された複数の選択画像が配置された仕上がり画像を表示するステップと、
前記選択画像を選択する複数のパターン、又は前記選択画像が配置されるテンプレートを表す複数のパターンの中から一のパターンを選択するステップと、
前記パターンにより前記選択画像が配置された前記仕上がり画像を作成するステップと、
前記複数のパターンのうちの一のパターンに選択が切り替えられた場合に、少なくとも前記一のパターンを含む複数のパターンに基づいて前記選択画像を表示した複数の前記仕上がり画像を、前記仕上がり表示領域内でスクロール可能に表示する遷移画像を作成するステップと、
前記一のパターンに選択が切り替えられた場合に、前記遷移画像を表示してから、選択された前記一のパターンに基づいた前記仕上がり画像を前記仕上がり表示領域に表示するステップと、
をコンピュータに実行させることを特徴とする画像処理プログラム。
【発明の詳細な説明】
【技術分野】
【０００１】
本発明は、画像処理装置、画像処理方法、画像処理プログラム、及びプリント注文受付装置に関する。
【背景技術】
【０００２】
写真店やラボ等のサービス店等の店頭に設置される店頭端末装置が知られている。店頭端末装置は、被写体を撮像した画像データを記録した電子カメラやメモリ・カード等の記憶装置をセットすることで、記憶装置に記憶されている画像データを読み取り、読み取った画像データの一覧を縮小表示し、一覧表示中から所望する選択画像をプリント対象として選択させることでプリントの注文を受け付ける。
【０００３】
複数の画像からアルバムを作成する画像編集装置が知られている（例えば、特許文献１）。画像編集装置は、複数の画像の一覧と、アルバムを作成するための画像挿入領域を有するテンプレートとをモニタに同時に表示し、画像挿入領域に挿入する画像を画像の一覧中から選択することにより作成している。
【先行技術文献】
【特許文献】
【０００４】
【特許文献１】特許第４３１５３４４号公報
【発明の概要】
【発明が解決しようとする課題】
【０００５】
前述した画像編集装置では、使用者が最初にテンプレートを選択し、その後、選択画像を選択する。しかし、使用者は、テンプレートに配置した選択画像を差し替えたい場合がある。この場合、事前の画像選択画面に戻って選択画像を再び選びなおす操作が必要になる。事前の画像選択画面に戻ると、例えば選択した画像がクリアされて再び選ぶ操作が伴うため、非常に面倒であった。
【０００６】
本発明は、選択画像を選びなおす作業を簡便にした画像処理装置、画像処理方法、画像処理プログラム、プリント注文受付装置を提供することを目的とする。
【課題を解決するための手段】
【０００７】
本発明の画像処理装置の一観点によれば、入力された複数の画像を配置する一覧表示領域と、一覧表示領域の隣りに並べられた仕上がり表示領域とを表示する表示部であり、仕上がり表示領域内には一覧表示領域から選択された複数の選択画像が配置された仕上がり画像を表示する表示部と、選択画像を選択する複数のパターン又は選択画像が配置されるテンプレートを表す複数のパターンの中から一のパターンを選択するパターン選択部と、パターンにより選択画像が配置された仕上がり画像を作成する仕上がり画像作成部と、パターン選択部により複数のパターンのうちの一のパターンに選択が切り替えられた場合に少なくとも一のパターンを含む複数のパターンに基づいて選択画像を表示した複数の仕上がり画像を仕上がり表示領域内でスクロール可能に表示する遷移画像を作成する遷移画像作成部と、一のパターンに選択が切り替えられた場合に遷移画像を表示してから選択された一のパターンに基づいた仕上がり画像を仕上がり表示領域に表示する表示制御部と、を備えるものである。
【０００８】
遷移画像作成部は、パターン選択部により第１のパターンから第２のパターンに選択が切り替えらえた場合に、少なくとも切り替え対象の第２のパターンを含む３通りのパターンに基づき第１から第３の仕上がり画像をスクロール可能に表示する遷移画像を作るとともに、遷移画像は、スクロールの方向に向けて仕上がり画像が第１、第２、第３の順でスクロール表示され、その後に、切り替え対象の仕上がり画像が仕上がり表示領域の中央に表示されるようにしてもよい。
【０００９】
遷移画像作成部としては、仕上がり画像作成部が作成する仕上がり画像よりも遷移画像に含まれる仕上がり画像を縮小して表示するのが、少なくとも第１から第３の仕上がり画像の一部又は全部を仕上がり表示領域内に同時に表示できるので好適である。スクロールの方向としては、遷移画像を縮小表示するので、表示部の短辺方向としてもよい。仕上がり画像としては、複数の選択画像を複数行×複数列に二次元に配置するのが好適である。
【００１０】
パターン選択部は、選択画像を選択する複数のパターン中から一のパターンを画像選択パターンとして選択する場合、予め決められた複数の条件に基づいて画像選択パターンを複数作る画像選択部を有する。画像選択パターンとしては、入力される画像に含まれる情報に関連する条件に基づいて選択画像を選択するパターンを含む。画像に含まれる情報は、画質情報、顔画像情報、背景画像情報、撮影情報、属性情報等を有する。これら情報のうちのいずれかに基づいて選択画像を選択するのが好適である。また、画像選択パターンとしては、入力される画像をランダムに選択するパターンを含んでもよい。
【００１１】
パターン選択部としては、仕上がり表示領域内に表示される切替ボタンとしてもよい。この場合、切替ボタンをマウスのクリックにより入力されるボタンとしてもよいし、表示部にタッチセンサを備え、切替ボタンをタッチ操作用のボタンとしてもよい。また、ジェスチャ入力を検出する検出部をパターン選択部が有してもよい。
【００１２】
本発明のプリント注文受付装置の一観点によれば、前述した画像処理装置と、仕上がり表示領域内に表示された仕上がり画像のプリントを注文する注文部と、を備えるものである。
【００１３】
本発明の画像処理方法の一観点によれば、入力された複数の画像を配置する一覧表示領域と一覧表示領域の隣りに並べられた仕上がり表示領域とを表示するステップであり仕上がり表示領域内には一覧表示領域から選択された複数の選択画像が配置された仕上がり画像を表示するステップと、選択画像を選択する複数のパターン又は選択画像が配置されるテンプレートを表す複数のパターンの中から一のパターンを選択するステップと、パターンにより選択画像が配置された仕上がり画像を作成するステップと、パターン選択部により複数のパターンのうちの一のパターンに選択が切り替えられた場合に少なくとも一のパターンを含む複数のパターンに基づいて選択画像を表示した複数の仕上がり画像を仕上がり表示領域内でスクロール可能に表示する遷移画像を作成するステップと、一のパターンに選択が切り替えられた場合に遷移画像を表示してから選択された一のパターンに基づいた仕上がり画像を仕上がり表示領域に表示するステップと、を含む。
【００１４】
本発明の画像表示処理プログラムの一観点によれば、入力された複数の画像を配置する一覧表示領域と一覧表示領域の隣りに並べられた仕上がり表示領域とを表示するステップであり仕上がり表示領域内には一覧表示領域から選択された複数の選択画像が配置された仕上がり画像を表示するステップと、選択画像を選択する複数のパターン又は選択画像が配置されるテンプレートを表す複数のパターンの中から一のパターンを選択するステップと、パターンにより選択画像が配置された仕上がり画像を作成するステップと、パターン選択部により複数のパターンのうちの一のパターンに選択が切り替えられた場合に少なくとも一のパターンを含む複数のパターンに基づいて選択画像を表示した複数の仕上がり画像を仕上がり表示領域内でスクロール可能に表示する遷移画像を作成するステップと、一のパターンに選択が切り替えられた場合に遷移画像を表示してから選択された一のパターンに基づいた仕上がり画像を仕上がり表示領域に表示するステップと、をコンピュータに実行させるものである。
【発明の効果】
【００１５】
本発明では、複数のパターンの中から一のパターンを選択すると、一のパターンを含む複数のパターンに基づいて選択画像を表示した複数の仕上がり画像をスクロール表示して、仕上がり画像の選択肢の存在を迅速に認識させることができるため、選択画像を選びなおす操作を簡便に行うことができる。
【図面の簡単な説明】
【００１６】
【図１】プリント注文受付装置の斜視図である。
【図２】プリント注文受付画面を示す説明図である。
【図３】プリント注文受付装置の電気的構成を示すブロック図である。
【図４】第２切替ボタンを操作した場合の遷移画像を示す説明図である。
【図５】第２の仕上がり画像を表示した状態を示す説明図である。
【図６】第４切替ボタンを操作した場合の遷移画像を示す説明図である。
【図７】第４の仕上がり画像を表示した状態を示す説明図である。
【図８】プリント注文の手順を示すフローチャートである。
【図９】ジェスチャー操作により仕上がり画像を切り替える例を示す説明図である。
【図１０】縦長の表示部を備えた例を示す説明図である。
【図１１】９個の切替ボタンを備えた例を示す説明図である。
【発明を実施するための形態】
【００１７】
図１は、本発明の一形態であるプリント注文受付装置１０を示す。プリント注文受付装置１０は、図１に示すように、表示部１１、スロット１２、無線接続部１３を有し、また、外部にはプリンタ１４が接続されている。表示部１１は、横長画面であり、タッチセンサ１５を有する。スロット１２には、画像データ等が記憶された、例えばメモリカードが接続される。無線接続部１３には、例えば携帯電話や携帯型情報端末装置が無線により接続される。プリント注文受付装置１０は、接続される機器から画像データを取り込む。取り込まれた画像データは、サムネイル画像に縮小処理される。サムネイル画像は、表示部１１に一覧表示される。ユーザーは、一覧表示からプリント対象の画像（以下、「選択画像」と称す）を選択する操作等を行って注文情報を作成していく。
【００１８】
プリンタ１４は、プリント注文受付装置１０から顧客識別データを含む注文情報や画像データを取り込み、注文情報に対応したプリント処理を行う。店頭では、完成したプリント写真が顧客に手渡されると共に、プリント代金の精算が行われる。
【００１９】
なお、図１では、プリンタ１４に対してプリント注文受付装置１０を１台接続する構成として説明しているが、複数接続する構成としてもよい。また、プリント注文受付装置１０に対してプリンタ１４を遠隔地に設置する場合、互いをＬＡＮ（Local Area Network）やインターネットを介して接続する構成としてもよい。さらに、プリント注文受付装置１０は、プリンタ１４に対して無線接続をする構成であってもよい。さらにまた、マウスやキーボード等をプリント注文受付装置１０に設けて、マウスやキーボード等の操作により注文情報を作成する構成としてもよい。
【００２０】
注文画面は、プリントの種類の一つであるシャッフルプリントを選択するプリント注文画面を有する。シャッフルプリントは、取り込んだ画像のうちの選択された複数の画像を１枚のプリント用紙に配置してプリントする。シャッフルプリントの注文情報は、テンプレートを選択した後に、サムネイル画像の一覧から選択画像を選択することで作成される。テンプレートは、例えば背景画像、選択画像の個数、位置、大きさ、向きのうちのいずれかを変えて複数種類用意した画像である。選択したテンプレートには、選択された複数の選択画像が配置される。
【００２１】
図２は、プリント注文画面を示す。プリント注文画面は、図２に示すように、一覧表示領域１８、一覧表示領域１８の横に並べられた仕上がり表示領域１９を有する。一覧表示領域１８には、取り込んだ画像を縮小処理したサムネイル画像（以下、「一覧画像」と称す）２０が表示される。
【００２２】
仕上がり表示領域１９内には、一覧表示領域１８から選択した複数の選択画像２１をテンプレート１７に配置した仕上がり画像２２が表示される。仕上がり画像２２は、選択画像２１を複数行×複数列に二次元に配置している。また、仕上がり表示領域１９には、選択画像を選択する複数のパターンの中から一のパターンを選択する切替ボタン２４〜２７が配置される。切替ボタン２４〜２７は、タッチ操作用のボタンである。
【００２３】
なお、切替ボタン２４〜２７は、マウスのクリックにより入力されるボタンとしてもよいし、キーボードの、例えばファンクションキーに対応させて入力させるようにしてもよい。切替ボタン２４〜２７は、パターン選択部の一例である。なお、切替ボタン２４〜２７は、仕上がり表示領域１９外に表示してもよい。
【００２４】
また、図２において、一覧表示領域１８は、一覧画像２０の全てが一画面に収まらない場合、例えば上下にスクロールされる領域になる。また、一覧表示領域１８には、選択画像２１に、「レ」点等のチェックマークや太枠等の強調表示が施される。なお、一覧画像２０や選択画像２１内に記載の番号は、例えば入力される画像の取り込み順を表す番号である。この例では、一覧表示領域１８内で選択された選択画像２１は、仕上がり表示領域１９の各コマのうちの番号の同じコマに配置される。
【００２５】
図３は、プリント注文受付装置１０の電気的構成を示す。プリント注文受付装置１０は、図３に示すように、ＣＰＵ(central processing unit)２８、表示部１１、ＲＯＭ(Read Only Memory)２９、ＲＡＭ(Random Access Memory)３０、ＶＲＡＭ(Video RAM)３１、カードリーダ３２、記憶部３３、無線接続部１３、及び通信制御部３５を有する。
【００２６】
表示部１１は、タッチセンサ１５と表示パネル３６とを有する。表示パネル３６には、注文情報を作成するための注文画面が表示される。顧客は、注文画面の手順に従って入力操作を行うことで注文情報を作成する。カードリーダ３２は、スロット１２内に設けられ、例えばメモリカードに記憶された画像データを取り込む。
【００２７】
ＣＰＵ２８は、サムネイル画像作成部３７、及び注文部３８を有する。サムネイル画像作成部３７は、取り込んだ画像に基づいて一覧画像２０を作成する。
【００２８】
記憶部３３は、取り込んだ画像を記憶する画像データ格納部３９を有する。画像データ格納部３９は、取り込んだ画像に関連付けて一覧画像２０を記憶する。他に、記憶部３３は、注文画面を生成するときに使用する部品画像のデータを含む画像情報等を格納する画像情報格納部４０を有する。また、記憶部３３には、注文情報を作成するのに必要なテンプレートのデータや、編集処理に必要なプログラムやデータ等の情報が記憶される。
【００２９】
通信制御部３５は、プリンタ１４との間でデータを送受信するためのものであり、例えばＬＡＮカード等が使用される。通信制御部３５は、予めセットされたプリンタ識別情報に対応するプリンタ１４と接続して、接続されたプリンタ１４に注文情報や画像データを送信する。なお、プリンタ識別情報は、記憶部３３に記憶される。
【００３０】
ＲＯＭ２９には、主プログラム４１、操作処理プログラム４２、画面制御プログラム４３等が書き込まれている。主プログラム４１は、ＣＰＵ２８により最初に実行され、注文情報を作成するためのものである。操作処理プログラム４２は、タッチセンサ１５から入力されるタッチ位置、及びタッチの種類に応じた入力情報をＣＰＵ２８が処理するための情報に対応させるためのものである。画面制御プログラム４３は、入力情報に基づいて遷移させる画面を制御するためのものである。ＲＡＭ３０は、ＣＰＵ２８等が各種のプログラムを実行するための作業用のメモリである。
【００３１】
ＣＰＵ２８は、主プログラム４１を実行することで、注文画面を生成して入力情報に基づいて注文情報を作成する。注文部３８は、入力情報に基づいて注文情報を作成する。
【００３２】
ＣＰＵ２８は、仕上がり画像作成部４４、遷移画像作成部４５、表示制御部４６を有する。仕上がり画像作成部４４は、仕上がり表示領域１９に表示される仕上がり画像２２を作成する。仕上がり画像２２は、パターンに基づいて選択した選択画像２１をテンプレート１７に配置して仕上がり状態に表示した画像である。選択画像を選択するパターンは、少なくとも第１から第３の３通りのパターンを有する。なお、仕上がり状態とは、画像の見え方の他に、プリント（シート）全体に対する選択画像２１の位置、大きさ、範囲等がプリンタ１４でプリントしたときの仕上がりと同様な状態をいう。
【００３３】
仕上がり画像作成部４４は、第１のパターンにより選択された選択画像２１を表示する第１の仕上がり画像を作成し、また、第２のパターンにより選択された選択画像２１を表示する第２の仕上がり画像を作成する。さらに、第３のパターンにより選択された選択画像２１を表示する第３の仕上がり画像を作成する。
【００３４】
遷移画像作成部４５は、第１〜第４切替ボタン２４〜２７の操作により第１のパターンから第１のパターンとは異なる第２のパターンに選択が切り替えられた場合に、少なくとも第１の仕上がり画像と、第２の仕上がり画像と、第３の仕上がり画像とを、仕上がり表示領域１９内でスクロール可能に表示する遷移画像を作成する。
【００３５】
表示制御部４６は、第１〜第４切替ボタン２４〜２７により一のパターンに選択が切り替えられた場合に、遷移画像を表示してから、切り替え対象の仕上がり画像２２を仕上がり表示領域１９に表示する。遷移画像に含まれる仕上がり画像は、切り替え対象の仕上がり画像２２よりもサイズを縮小して表示される。
【００３６】
ＣＰＵ２８は、予め決められた複数の条件に基づいて選択画像２１を選択する画像選択部４７を有する。画像選択部４７が選択画像を選択するパターンは、入力される画像に含まれる情報に関連する複数の条件に基づいて選択するパターンを含む。この例では、パターンとしては、第１〜第４のパターンを有する。第１のパターンは、例えば画質の評価の高い画像を選択する。第２のパターンは、例えば主人公を含む画像を選択する。第３のパターンは、例えば風景を含む画像を選択する。このように、第１から第３のパターンは、入力される画像に含まれる情報に関連する複数の条件に基づいて画像を選択する。また、第４のパターンは、例えば入力される複数の画像をランダムに選択する。ランダム選択としては、例えば一覧画像を複数のグループに分けて各グループから選択するのが、特定の画像に偏りなく選択できるので好適である。選択画像を選択するパターンは、画像選択パターンの一例である。
【００３７】
第１切替ボタン２４は、第１のパターンを選択するためのボタンであり、第１の仕上がり画像を表示する。第２切替ボタン２５は、第２のパターンを選択するためのボタンであり、第２の仕上がり画像を表示する。第３切替ボタン２６は、第３のパターンを選択するためのボタンであり、第３の仕上がり画像を表示する。そして、第４切替ボタン２７は、第４のパターンを選択するためのボタンであり、第４の仕上がり画像を表示する。
【００３８】
具体的には、第１のパターンは、例えば取り込んだ画像から明るさレベルの情報を抽出し、抽出した明るさレベルの情報に基づいて画質の評価が高い順に画像を選択する。ＣＰＵ２８には、画像から明るさレベルを抽出するレベル抽出部４８が接続されている。ＣＰＵ２８は、取り込んだ画像を記憶部３３から読み出してレベル抽出部４８に送る。レベル抽出部４８は、各画像について画質の評価を求める。画像選択部４７は、レベル抽出部４８で求めた画質の評価の高い順に画像を選択する。なお、画質の評価の高い順に限ることはなく、例えば評価の高い上位群を除いた中位群の画像を選択してもよい。
【００３９】
第２のパターンは、例えば取り込んだ画像から出現頻度の高い顔画像を主人公と認識して認識した主人公を含む画像を抽出し抽出した画像群から選択する。ＣＰＵ２８には、各画像に含まれる顔画像を検出する顔画像検出部４９が接続されている。ＣＰＵ２８は、取り込んだ画像を記憶部３３から読み出して顔画像検出部４９に送る。顔画像検出部４９は、各画像から出現頻度の高い顔画像を主人公と認識し、認識した主人公を含む画像を抽出する。画像選択部４７は、顔画像検出部４９で抽出された画像群から選択する。
【００４０】
第３のパターンは、背景画像の領域が多く存在する画像、例えば風景画像を抽出し、抽出した画像群から選択する。ＣＰＵ２８には、各画像に含まれる背景画像の領域を抽出する領域検出部５０が接続されている。ＣＰＵ２８は、取り込んだ画像を記憶部３３から読み出して領域検出部５０に送る。領域検出部５０は、各画像から背景画像の領域を検出し、背景画像の領域を含む画像を背景画像の領域が多い順に抽出する。画像選択部４７は、領域検出部５０で抽出した画像群から選択する。
【００４１】
なお、各仕上がり画像と切替ボタン２４〜２７との対応付けは、前述した順番に限ることはない。例えば第１切替ボタン２４は主人公を含む画像から選択するボタン、第２切替ボタン２５は画質の高い画像から選択するボタン、第３切替ボタン２６はランダムに選択するボタン、第４切替ボタン２７は背景を含む画像から選択するボタンとしてもよい。
【００４２】
また、パターンとしては、前述した条件に限ることはない。例えば画像認識部を備えてペットの画像を含む画像群を抽出して抽出した画像群から選択するパターンでもよい。さらに、撮影日時や露出値等の撮影情報や属性情報を条件として利用して選択してもよい。なお、属性情報は、ユーザが書き込むコメントやタイトル、さらにＧＰＳに関する項目、例えば撮影時の緯度経度や速度、撮影方向の位置情報を含む。
【００４３】
画像選択部４７は、いずれかのパターンで選択した選択画像の数がテンプレート１７に決められた配置数を超える場合、選択された画像群中から、さらに予め決めた条件に基づいて選択して選択画像２１を決める。
【００４４】
ＶＲＡＭ３１は、表示部１１にプリント注文画面等を表示するための専用のメモリであり、第１から第３領域用メモリ５１〜５３と、表示メモリ５４とを有する。
【００４５】
第１領域用メモリ５１は、一覧表示領域１８に一覧画像２０を表示するときに使う。第２領域用メモリ５２は、仕上がり表示領域１９に仕上がり画像２２を表示するときに使う。第３領域用メモリ５３は、仕上がり表示領域１９に遷移画像を表示するときに使う。
【００４６】
表示メモリ５４では、第１領域用メモリ５１から第３領域用メモリ５３に展開される各画像が合成される。表示メモリ５４で合成された画像がプリント注文画面として表示パネル３６に出力される。
【００４７】
図４は、第２切替ボタン２５を操作した場合の遷移画像５７を示す。仕上がり表示領域１９には、図４（Ａ）に示すように、第１切替ボタン２４の操作に応答して第１の仕上がり画像２２が表示されている。第２切替ボタン２５を操作すると、遷移画像作成部４５は、図４（Ａ）に示すように、仕上がり画像２２，５５，５６を縮小処理して、縮小された仕上がり画像２２ａ，５５ａ，５６ａを、例えば上から順に一列に並べて、同図（Ｂ）に示すように、仕上がり表示領域１９内で、例えば上方向（表示部１１の短辺方向）にスクロール可能に表示する遷移画像５７を作成する。
【００４８】
仕上がり画像２２ａ，５５ａ，５６ａのスクロール方向は、一覧表示領域１８のスクロール方向と同じ方向となっている。第１の仕上がり画像２２には、第１のパターンにより選択された選択画像２１が配置されている。第２の仕上がり画像５５には、第２のパターンにより選択された選択画像５８が配置されている。第３の仕上がり画像５６には、第３のパターンにより選択された選択画像５９が配置されている。
【００４９】
なお、図４において、表示部１１外に二点鎖線で記載された仕上がり画像５５，５６，５６ａは、ＶＲＡＭ３１上の非表示領域に順次展開される仮想的な画像である。
【００５０】
遷移画像５７は、仕上がり表示領域１９内で、図４（Ｂ）に示すように、スクロール方向の上流側から順に第１から第３の仕上がり画像２２ａ，５５ａ，５６ａが表示されていくアニメーション画像として表示される。その後、スクロール表示は、図４（Ｃ）に示すように、切り替え対象である第２の仕上がり画像５５ａを仕上がり表示領域１９の中央に表示する。このとき、第２の仕上がり画像５５ａの上に第１の仕上がり画像２２ａの一部である下部と、その第２の仕上がり画像５５ａの下に第３の仕上がり画像５６ａの一部である上部とを同時に表示する。このために、遷移画像５７の仕上がり画像２２ａ，５５ａ，５６ａは、図４（Ａ）で説明した最初に表示される仕上がり画像２２よりもサイズを縮小して作られる。
【００５１】
図５は、第２切替ボタン２５の操作により表示された第２の仕上がり画像５５を示す。表示制御部４６は、遷移画像５７を表示した後に、図５に示すように、切り替え対象である第２の仕上がり画像５５を仕上がり表示領域１９に表示する。第２の仕上がり画像５５は、遷移画像５７で作られる仕上がり画像５５ａよりも拡大して表示される。
【００５２】
図６は、第４切替ボタン２７を操作した場合の遷移画像５７を示す。第４切替ボタン２７をタッチ操作すると、遷移画像作成部４５は、図６（Ａ）に示すように、第１から第４の仕上がり画像２２，５５，５６，６１を縮小処理し、縮小された仕上がり画像２２ａ，５５ａ，５６ａ，６１ａを仕上がり表示領域１９内で、例えば上方向にスクロール可能に表示する遷移画像を作成する。仕上がり画像２２，５５，５６，６１のスクロール方向は、一覧表示領域１８のスクロール方向と同じ方向である。第１から第３の仕上がり画像２２，５５，５６には、選択画像２１，５８，５９が前述したと同様に配置されている。第４の仕上がり画像６１には、第４のパターンにより選択された選択画像６０が配置されている。
【００５３】
遷移画像５７は、図６（Ｂ）及び同図（Ｃ）に示すように、仕上がり表示領域１９内で、スクロール方向の上流側から順に第１から第４の仕上がり画像２２ａ，５５ａ，５６ａ，６１ａが表示されていくアニメーション画像で表示される。その後、図６（Ｃ）に示すように、切り替え対象の第４の仕上がり画像６１ａが仕上がり表示領域１９の中央にくると、スクロール表示が終了する。
【００５４】
この場合も、各仕上がり画像２２ａ，５５ａ，５６ａ，６１ａは、図６（Ａ）で説明した最初に表示される第１の仕上がり画像２２よりも縮小されており、よって、第１から第４の仕上がり画像２２ａ，５５ａ，５６ａ，６１ａが迅速にスクロール表示される。これにより、仕上がり画像の選択肢が複数存在することを確実に認識させることができる。なお、表示部１１外に二点鎖線で記載された仕上がり画像５５，５６，６１，５６ａ，６１ａは、ＶＲＡＭ３１上の非表示領域に順次展開される仮想的な画像である。
【００５５】
図７は、第４切替ボタン２７の操作により表示された第４の仕上がり画像６１を示す。表示制御部４６は、遷移画像５７を表示した後に、図７に示すように、第４の仕上がり画像６１を仕上がり表示領域１９に拡大して表示する。
【００５６】
図８は、注文画面の手順を示す。プリント注文受付装置１０を立ち上げると、まず、表示部１１には、画像取り込み画面が表示される（Ｓ１１００）。画像取り込み画面において、接続先を指定して、接続された、例えばメモリカードから画像のデータを取り込む操作を行う。取り込んだ画像は、画像データ格納部３９に格納される（Ｓ１２００）。画像を取り込んだ後には、サムネイル画像作成部３７により、各画像を縮小処理した一覧画像２０（サムネイル画像）が作成される。作成された一覧画像２０は、記憶部３３に記憶される（Ｓ１３００）。
【００５７】
画像の取り込み中、又は取り込み後には、画像取り込み画面からサービストップ画面に遷移される（Ｓ１４００）。サービストップ画面では、例えば「１枚プリント」、「ポストカード」、「フォトブック」、「シャッフルプリント」等のプリント種別を選択する。
【００５８】
サービストップ画面では、「シャッフルプリント」の選択する（Ｓ１５００）と、テンプレート選択画面が表示される。テンプレート選択画面では、種類の異なるテンプレートが複数表示される。複数のテンプレート中で一つをタッチ操作により選択することで（Ｓ１６００）、シャッフルプリントの注文情報を作成するプリント注文画面に遷移する。
【００５９】
仕上がり画像作成部４４は、切替ボタンの個数を「Ｎ」とすると、Ｎ個のパターンにより選択された選択画像を配置してＮ個の仕上がり画像を作成する。作成されたＮ個の仕上がり画像は、記憶部３３にそれぞれ記憶される（Ｓ１７００）。具体的には、仕上がり画像作成部４４は、第１から第４切替ボタン２４〜２７に対応する仕上がり画像２２，５５，５６，６１を、画像を取り込んだ後に作成しておき、いつでも読み出せるように記憶しておく。なお、第１から第４切替ボタン２４〜２７が操作される毎に、切り替えボタンに対応するパターンに基づいて選択画像を選択して、遷移画像５７で必要とされる仕上がり画像を作ってもよい。
【００６０】
プリント注文画面には、一覧表示領域１８、仕上がり表示領域１９、第１から第４切替ボタン２４〜２７が表示される（Ｓ１８００）。一覧表示領域１８には、記憶部３３に記憶した一覧画像２０が、例えば二次元に配置される。
【００６１】
仕上がり表示領域１９には、最初は、第１切替ボタン２４の操作により表示された第１の仕上がり画像２２が表示される。第１の仕上がり画像２２は、第１のパターンにより選択された複数の選択画像２１が配置されている。テンプレートは、詳しくは図２で説明したように、例えば４行×４列となっている。
【００６２】
例えば第２切替ボタン２５をタッチ操作すると（Ｓ１９００のＹ側）、遷移画像作成部４５は、仕上がり画像作成部４４が作った第１から第３の仕上がり画像２２，５５，５６を記憶部３３から読み出し、読み出した第１から第３の仕上がり画像２２，５５，５６を縮小処理し、縮小した第１から第３の仕上がり画像２２ａ，５５ａ，５６ａを仕上がり表示領域１９内で上方向にスクロール可能に表示する遷移画像５７を作成する（Ｓ２０００）。
【００６３】
そして、表示制御部４６は、図４（Ｃ）に示すように、切り替え対象の第２の仕上がり画像５５ａが仕上がり表示領域１９の中央に表示されてから一定時間経過後に、図５に示すように、第２の仕上がり画像５５を仕上がり表示領域１９に拡大して表示する（Ｓ２１００）。
【００６４】
また、例えば第４切替ボタン２７をタッチ操作すると（Ｓ１９００のＹ側）、遷移画像作成部４５は、第１から第４の仕上がり画像２２，５５，５６，６１を記憶部３３から読み出し、読み出した第１から第４の仕上がり画像２２，５５，５６，６１を縮小処理し、縮小した第１から第４の仕上がり画像２２ａ，５５ａ，５６ａ，６１ａを仕上がり表示領域１９内で上方向にスクロール可能に表示する遷移画像５７を作成する（Ｓ２０００）。
【００６５】
そして、表示制御部４６は、図６（Ｃ）に示すように、第４の仕上がり画像６１ａが仕上がり表示領域１９の中央に表示されてから一定時間経過後に、図７に示すように、切り替え対象である第４の仕上がり画像６１を仕上がり表示領域１９に拡大して表示する（Ｓ２１００）。
【００６６】
仕上がり表示領域１９に表示される第４の仕上がり画像６１を視認することで、プリントの仕上がりをイメージすることができる。
【００６７】
プリント注文画面の右下には、図７に示すように、「次へ」ボタン６６が表示されている。「次へ」ボタン６６をタッチ操作すると（Ｓ２２００のＹ側）、注文確定画面に切り替わる（Ｓ２３００）。注文確定画面では、仕上がり表示領域１９に表示されていた仕上がり画像６１について注文情報を作成する。この注文確定画面では、枚数を設定して「注文ボタン」をタッチ操作することで注文情報が作成され、注文情報と注文情報にリンクされた画像データとがプリンタ１４に出力される（Ｓ２４００）。
【００６８】
なお、注文確定画面において、仕上がり表示領域１９に表示されていたプリント対象の仕上がり画像６１のみではなく、他の仕上がり画像２２，５５，５６に対しても選択して注文することができるように構成してもよい。
【００６９】
ここで、第１から第４切替ボタン２４〜２７の選択操作と、その操作に対応して作られる遷移画像５７との関係を具体的に説明する。遷移画像作成部４５は、Ｎ番目以外の切替ボタンが選択されている状態から、Ｎ番目（Ｎは切替ボタンの個数）の切替ボタン（表示順番の最後のボタン）に切替操作がなされると、切替ボタンの個数分作られるＮ個の仕上がり画像をスクロール可能に表示する遷移画像５７を作る。つまり、最後の切替ボタンに切り替え操作すると、全ての仕上がり画像がスクロールして順に表示される。なお、Ｎ≧３の場合には、全ての仕上がり画像の代わりに、切り替え対象の仕上がり画像を含む少なくとも３個の仕上がり画像であれば、いずれの仕上がり画像でもよい。
【００７０】
また、遷移画像作成部４５は、Ｎ番目の切替ボタンが選択されている状態から１番目の切替ボタン２４に切替操作がなされると、１番目の切替ボタン２４に対応するパターンを含む複数のパターンにより選択される選択画像を表示した複数の仕上がり画像、例えば１番目、２番目、３番目の切替ボタンに対応して表示される３個の仕上がり画像をスクロール可能に表示する遷移画像を作る。なお、１番目の切替ボタン２４に対応する仕上がり画像を含む４個以上の仕上がり画像としてもよい。また、複数の仕上がり画像を作る場合、切り替え対象の切替ボタンを含む前後の切替ボタンに対応する仕上がり画像、例えばＮ番目、１番目、２番目、３番目の切替ボタンに対応する仕上がり画像を作ってもよい。
【００７１】
さらに、遷移画像作成部４５は、Ｎ≧３の場合、１番目及びＮ番目以外の中間の切替ボタンに切替操作がなされると、元に選択されていた切替ボタンに対応する仕上がり画像と、切り替え対象の切替ボタンに対応する仕上がり画像と、これらの間の切替ボタンに対応する仕上がり画像とを含む少なくとも３個の仕上がり画像、例えば元の切替ボタンが２番目で、５番目の切替ボタンが選択されると、２番目、３番目、４番目、５番目の切替ボタンに対応する４個の仕上がり画像をスクロール可能に表示する遷移画像を作る。
【００７２】
このように、遷移画像作成部４５は、複数の切替ボタンのうちのいずれか一つに切替選択がなされると、切り替え対象の切替ボタンに対応する一のパターンを含む複数のパターンに基づいて選択画像を表示した複数の仕上がり画像をスクロール可能に表示する遷移画像を作る。
【００７３】
アニメーション画像は、複数の画像が、例えば下から上にスクロールする動的な変化で視認させることができる。これにより、仕上がり画像の選択肢の存在を直観的に把握させることができる。
【００７４】
なお、遷移画像５７の表示中に、いずれかの仕上がり画像をタッチ操作すると、タッチ操作された仕上がり画像がプリント対象として選択され、選択された時点でスクロール表示を停止し、その後、選択された仕上がり画像を、仕上がり表示領域１９に拡大表示するように構成してもよい。この場合は、プリント注文画面において、初めから複数のパターンに対応して作られる複数の仕上がり画像の全てをスクロール表示することが好適である。
【００７５】
上記各実施形態では、遷移画像５７のスクロール方向を表示部１１の下から上にしているが、上から下、左から右、その逆でもよい。例えば、第３の仕上がり画像が仕上がり表示領域１９に表示されている場合に、第１の切替ボタン２４を操作すると、第３の仕上がり画像から第２の仕上がり画像を経由して第１の仕上がり画像が順に、仕上がり表示領域１９の上から下にスクロール表示されるのが好適である。
【００７６】
上記各実施形態では、選択画像２１を選択するパターンの実施形態を説明しているが、選択画像２１が配置されるテンプレートを表すパターンとしてもよい。この場合には、切替ボタンで切替操作をすると、選択画像２１を変えずに、テンプレート１７の種類を変えて複数の仕上がり画像を作る。テンプレート１７としては、背景画像、選択画像を配置する位置、配置する大きさ、配置する向き、配置数のうちのいずれか一つ又はこれらの組み合わせを変えた複数のパターンが用意されている。背景画像としては、台紙の色を、例えば黒、白、ピンクに変えたものや、複数の色を組み合わせたストライプやチェック柄に変えたのものを含む。種類の異なるテンプレートを複数の切替ボタンに各々対応付ける。一の切替ボタンを選択すると、選択された切替ボタンに対応するテンプレートにより選択画像を配置した仕上がり画像を含む複数の仕上がり画像をスクロール表示される遷移画像が作られる。この例の場合には、選択画像を手動、例えば一覧表示領域内で一覧画像をタッチ操作することで選択させるのが好適である。
【００７７】
図９は、ジェスチャー操作により仕上がり画像を切り替える例を示す。この例は、図２で説明した第１及び第２切替ボタン２４，２５の切替操作を、ジェスチャー操作でも可能にした例である。図９（Ａ）に示すように、指７０を、例えば上方向にスライドさせるスワイプジャスチャー操作（以下、「スワイプ操作」と称す）に応答して、遷移画像作成部４５は、第１の仕上がり画像２２が指７０のスワイプ操作に合わせてスクロールして表示部１１から上に押し出され、同図（Ｂ）に示すように、代わりに第２の仕上がり画像５５がスクロール方向の上流側から引き出されて仕上がり表示領域１９の中央に表示される遷移画像を作る。
【００７８】
なお、図９で説明した例では、１回利用したユーザーは、スワイプ操作により第１及び第２の仕上がり画像２２，５５が予めスクロール表示されることを把握している場合が多い。この場合、遷移画像に含まれる仕上がり画像２２，５５のサイズを縮小して表示しなくてもよい。なお、遷移画像作成部４５は、遷移画像に含まれる仕上がり画像２２，５５を縮小して表示してもよい。また、プリント注文画面を最初に表示したときだけ、全部の仕上がり画像を縮小してスクロール表示して、仕上がり画像の選択肢の存在を把握させるようにしてもよい。
【００７９】
図９で説明した例は、２通りのパターンに基づいて選択画像を配置した２つの仕上がり画像をスクロール可能に表示する遷移画像を作る（Ｎ＝２）例である。
【００８０】
スワイプ操作は、図３で説明した操作処理プログラム４２により検出される。操作処理プログラム４２及びＣＰＵ２８は、ジェスチャー検出部の一例である。
【００８１】
また、図９で説明した例では、逆方向にスワイプ操作を行うことで、第２の仕上がり画像５５が下方向にスクロール表示され、同図（Ａ）に示すように、第１の仕上がり画像２２が仕上がり表示領域１９の中央に表示された状態に戻る。
【００８２】
同図（Ｂ）に示すように、スワイプ操作により仕上がり画像５５を選択すると、選択された仕上がり画像５５に対応する第２切替ボタン２５が強調表示される。なお、ジェスチャー操作は、スワイプ操作に限らず、フリック操作でもよい。
【００８３】
図１０は、縦長サイズの表示部８０を有する例である。表示部８０は、縦長サイズのため、一覧表示領域８１の上に隣接して仕上がり表示領域８２を有する。図３で説明した仕上がり画像作成部４４は、全種類の仕上がり画像、この例では第１から第３の仕上がり画像８３〜８５を予め作成している。なお、図１０において、表示部８０外に二点鎖線で記載された仕上がり画像８４，８５は、図３で説明したＶＲＡＭ３１上の非表示領域に順次展開される仮想的な画像である。また、一覧表示領域８１は、一覧画像２０が上下にスクロールして表示される領域になっている。
【００８４】
図１０（Ａ）に示すように、第１の仕上がり画像８３が仕上がり表示領域８２の中央に表示されている状態で、一覧表示領域８１のスクロール方向に交差する方向、例えば左方向に向けて指７０でスワイプ操作を行う。
【００８５】
一覧表示領域８１と仕上がり表示領域８２とで画面のスクロール方向を変えることで、例えば一覧表示領域８１でスクロール操作をしている指７０が仕上がり表示領域８２に入り込んでも、仕上がり表示領域８２に表示される仕上がり画像８３〜８５がスクロールすることはないので、誤操作を防ぐことができる。なお、一覧表示領域８１を横方向に、仕上がり表示領域８２を縦方向にそれぞれスクロールする表示としてもよい。
【００８６】
仕上がり表示領域８２内でのスワイプ操作に応答して、遷移画像作成部４５は、予め作成した第１から第３の仕上がり画像８３〜８５を利用して遷移画像を作成する。遷移画像は、第１の仕上がり画像８３が指７０のスライドに合わせてスクロールして表示部８０から押し出されて、代わりに第２の仕上がり画像８４がスクロール方向の上流側から引き出されてくる画像となる。第２の仕上がり画像８４を仕上がり表示領域８２の中央に表示させることで、プリント対象として選択される。さらに、スワイプ操作を継続すると、第３の仕上がり画像８５が表示部８０の右方向から引き出されて、同図（Ｂ）に示すように、第３の仕上がり画像８５が仕上がり表示領域８２の中央に表示される遷移画像が表示される。
【００８７】
なお、図１０で説明した例では、第３の仕上がり画像８５がスクロール表示順の最後であるので、同図（Ｂ）の状態において、左方向へのスワイプ操作をさらに行っても、それ以上のスクロールがなされることはない。逆に右方向へのスワイプ操作を行うことで、仕上がり画像８３〜８５が右方向にスクロール表示され、最後に、同図（Ａ）の状態、つまり第１の仕上がり画像８３が仕上がり表示領域８２の中央に表示された状態に戻る遷移画像が表示される。
【００８８】
所望する仕上がり画像が仕上がり表示領域８２の中央に表示されるようにスワイプ操作を行うことで、プリント対象の仕上がり画像を選択することができる。なお、スワイプ操作により仕上がり画像８５を選択すると、選択された仕上がり画像８５に対応する第３切替ボタン２６が強調表示される。
【００８９】
図１０で説明した例では、仕上がり表示領域８２を一覧表示領域８１の上に配置しているが、仕上がり表示領域８２を一覧表示領域８１の下に配置してもよい。
【００９０】
図１１は、９個の切替ボタン群８９を有したプリント注文画面の例を示す。仕上がり表示領域１９には、図１１（Ａ）に示すように、例えば９個の切替ボタン群８９が表示されている。切替ボタン群８９は、各切替ボタン８９ａ〜８９ｉで構成され、例えば３行×３列の二次元に配置されている。図３で説明した仕上がり画像作成部４４は、図１１（Ｂ）に示すように、９個の切替ボタン８９ａ〜８９ｉに対応する９個の仕上がり画像９１〜９９を作成する。９個の仕上がり画像９１〜９９は、切替ボタン８９ａ〜８９ｉの配置と同様に、例えば３行×３列の二次元に配置されている。
【００９１】
なお、同図において、表示部１１外に二点鎖線で一部又は全部が記載された仕上がり画像９２〜９９は、図３で説明したＶＲＡＭ３１上の非表示領域に順次展開される仮想的な画像である。
【００９２】
遷移画像作成部４５は、仕上がり画像９１〜９９を、指７０を滑らせるスワイプ操作に応じて、仕上がり表示領域１９内で、縦、横、斜めを含む３６０度方向に自由にスクロール表示が可能な遷移画像を作る。このように、仕上がり画像９１〜９９の数が多い場合には、仕上がり画像９１〜９９を二次元に配置することで、一次元に配置した例と比べて、仕上がり画像９１〜９９の全部を迅速かつ簡単に視認させることができる。
【００９３】
図１１（Ｃ）に示すように、所望する仕上がり画像、例えば第４の仕上がり画像９４が仕上がり表示領域１９の中央に表示されるようにスワイプ操作を行うことで、仕上がり画像９４がプリント対象として選択される。なお、スワイプ操作により仕上がり画像９４を選択すると、選択された仕上がり画像９４に対応する切替ボタン８９ｄが強調表示される。
【００９４】
上記各実施形態では、店頭に置かれるプリント注文受付装置について説明しているが、本発明の適用対象はこれに限らず、電話機能を有する情報端末や、各種装置、例えば、ＰＨＳ（Personal Handy-phone System）、ＰＤＡ（Personal Digital Assistan）、ポータブルナビゲーション装置、パーソナルコンピュータ、ゲーム機等に使用される画像処理装置や、画像処理プログラムに対しても本発明は適用できる。
【符号の説明】
【００９５】
１０  プリント注文受付装置
１１，８０  表示部
１８，８１  一覧表示領域
１９，８２  仕上がり表示領域
２２，５５，５６，６１，８３〜８５，９１〜９９  仕上がり画像
２４〜２７、８９ａ〜８９ｉ  切替ボタン
【図１】
2016014995.tif 000003
【図２】
2016014995.tif 000004
【図３】
2016014995.tif 000005
【図４】
2016014995.tif 000006
【図５】
2016014995.tif 000007
【図６】
2016014995.tif 000008
【図７】
2016014995.tif 000009
【図８】
2016014995.tif 000010
【図９】
2016014995.tif 000011
【図１０】
2016014995.tif 000012
【図１１】
2016014995.tif 000013